(57)【特許請求の範囲】
【請求項１】
プラスチックシートによって形成された包装箱であって、
筒状に形成された胴部の開口端に、前記胴部の開口部を閉塞する対向一対のフラップが折目線を介して連設されており、
一方の前記フラップの先端縁には、基端部の両側縁からそれぞれ外側に張り出す差込部を有する差込片が連設されており、
他方の前記フラップには、前記差込片が差し込まれる差込穴が形成されており、
前記差込穴は、前記差込片における基端部の先端縁に対応する周縁部分が内側に張り出しており、
前記差込片を前記差込穴に差し込んだ状態で、前記差込片における前記基端部の先端縁が、前記差込穴が形成されている他方の前記フラップの内面側に入り込まないようになっている包装箱。
【請求項２】
プラスチックシートによって形成された包装箱であって、
筒状に形成された胴部の開口端に、前記胴部の開口部を閉塞する対向一対のフラップが折目線を介して連設されており、
一方の前記フラップの先端縁には、基端部の両側縁からそれぞれ外側に張り出す差込部を有する差込片が連設されており、
他方の前記フラップには、前記差込片が差し込まれる差込穴が形成されており、
前記差込片は、その基端部の先端縁が前記差込穴の外側に張り出しており、
前記差込片を前記差込穴に差し込んだ状態で、前記差込片における前記基端部の先端縁が、前記差込穴が形成されている他方の前記フラップの内面側に入り込まないようになっている包装箱。
【請求項３】
プラスチックシートによって形成された包装箱であって、
筒状に形成された胴部の開口端に、前記胴部の開口部を閉塞する対向一対のフラップが折目線を介して連設されており、
一方の前記フラップの先端縁には、基端部の両側縁からそれぞれ外側に張り出す差込部を有する差込片が連設されており、
他方の前記フラップには、前記差込片が差し込まれる差込穴が形成されており、
前記差込穴の周縁部分には、その差込穴が形成されている他方の前記フラップの基端部側に、その差込穴に嵌り込む、その差込穴と同一形状の舌片が連設されており、
前記差込片を前記差込穴に差し込んだ状態で、前記差込片における前記基端部の先端縁が、前記差込穴が形成されている他方の前記フラップの内面側に入り込まないようになっている包装箱。
【請求項４】
前記差込穴の周縁部分には、その差込穴が形成されている他方の前記フラップの先端部側に、その差込穴に嵌り込む、その差込穴と同一形状の舌片が連設されている請求項１または２に記載の包装箱。
【発明の詳細な説明】
【０００１】
【発明の属する技術分野】
この発明は、プラスチックシートによって形成された包装箱、特に、廃棄する際、胴部を容易に扁平状に潰すことのできる包装箱に関する。
【０００２】
【従来の技術】
例えば、瓶容器等に充填された化粧品等の商品では、収容した状態で商品を見せることができるように、透明なプラスチックシートによって形成された包装箱に収容される場合があり、こういった包装箱としては、図９に示すようなものがある。この包装箱５０は、１枚のブランクシートから形成されており、角筒状の胴部５１を有している。
【０００３】
この胴部５１の上端開口部には、折目線を介して対向する一対の内フラップ５２、５２が連設されていると共に、この内フラップ５２、５２に隣接する蓋フラップ５３が折目線を介して連設されており、一対の内フラップ５２、５２を内側に折り畳んだ状態で、蓋フラップ５３を内側に折り畳み、その先端に折目線を介して連設された差込片５３ａを胴部５１の上端開口部に差し込むと、胴部５１の上端開口部が閉塞されるようになっている。
【０００４】
また、胴部５１の下端開口部には、図１０に示すように、折目線を介して対向する一対の内フラップ５４、５４が連設されていると共に、この内フラップ５４、５４に隣接する対向一対の底フラップ５５、５６が折目線を介して連設されており、一方の底フラップ５５には、その先端縁に差込片５７が連設されていると共に、他方の底フラップ５６には、差込片５７が差し込まれる差込穴５８が形成されている。
【０００５】
前記差込片５７は、一方の底フラップ５５の先端縁に連設される基端部５７ａと、この基端部５７ａの両側部からそれぞれ外側に張り出す差込部５７ｂとから構成されており、一対の内フラップ５４、５４を内側に折り畳んだ状態で、他方の底フラップ５６を内側に折り畳み、さらに、一方の底フラップ５５を内側に折り畳んで、その差込片５７を差込穴５８に差し込むと、図１１に示すように、底フラップ５５、５６が相互に連結され、胴部５１の下端開口部が閉塞された状態に保持される。
【０００６】
【発明が解決しようとする課題】
ところで、こういった包装箱５０は、収容された商品を取り出した後に廃棄されることになるが、胴部５１が角筒状に形成された状態では嵩張るので、蓋フラップ５３、内フラップ５２、５２、底フラップ５５、５６、内フラップ５４、５４を開いて、胴部５１を扁平状に折り畳んだ状態で廃棄するのが一般的である。
【０００７】
蓋フラップ５３は、商品を出し入れする際、開閉することを前提として設計されているので、当然のことながら簡単に開くことができるが、差込片５７を差込穴５８に差し込むことによって、相互に連結されている底フラップ５５、５６を開こうとすると、まず、差し込まれている差込片５７を差込穴５８から引き出さなければならない。
【０００８】
このように、差込穴５８に差し込まれた差込片５７を、差込穴５８から引き出すためには、差込穴５８内に露出している差込片５７における基端部５７ａの先端縁を指先に引っかけて基端部５７ａを差込穴５８から外側に引っ張るようにして、差込部５７ｂを差込穴５８から引き出さなければならないが、上述したように、差込片５７を単に差込穴５８に差し込むようにした包装箱５０では、差込片５７全体が、差込穴５８が形成されている底フラップ５６の内面側に入り込んでしまっているので、差込片５７における基端部５７ａの先端縁に指先を引っかけようとして、差込穴５８に指先を挿入すると、図１２に示すように、指先に押されて差込片５７がさらに内側に押し込まれ、差込片５７における基端部５７ａの先端縁になかなか指先を引っかけることができず、簡単に底フラップ５５、５６を開くことができないという問題がある。
【０００９】
そこで、この発明の課題は、廃棄する際等に、胴部を扁平状に潰すために底フラップを簡単に開くことのできる包装箱を提供することにある。
【００１０】
【課題を解決するための手段及びその効果】
上記の課題を解決するため、請求項１に係る発明は、プラスチックシートによって形成された包装箱であって、筒状に形成された胴部の開口端に、前記胴部の開口部を閉塞する対向一対のフラップが折目線を介して連設されており、一方の前記フラップの先端縁には、基端部の両側縁からそれぞれ外側に張り出す差込部を有する差込片が連設されており、他方の前記フラップには、前記差込片が差し込まれる差込穴が形成されており、前記差込穴は、前記差込片における基端部の先端縁に対応する周縁部分が内側に張り出しており、前記差込片を前記差込穴に差し込んだ状態で、前記差込片における前記基端部の先端縁が、前記差込穴が形成されている他方の前記フラップの内面側に入り込まないようになっている包装箱を提供するものである。
【００１１】
以上のように、この包装箱は、差込片における基端部の先端縁に対応する差込穴の周縁部分が内側に張り出しており、差込片を差込穴に差し込んだ状態で、差込片における基端部の先端縁が、差込穴が形成されている他方のフラップの内面側に入り込まないようになっているので、差込穴に差し込まれた状態の差込片における基端部の先端縁に指先を簡単かつ確実に引っかけることができ、差込片を差込穴から即座に引き出すことができる。従って、底フラップを簡単に開いて、胴部を扁平状に潰すことができるので、包装箱を廃棄する際等の煩雑さを解消することができる。
【００１２】
また、請求項２に係る発明の包装箱のように、前記差込片における基端部の先端縁を、前記差込穴の外側に張り出させたり、請求項３に係る発明の包装箱のように、前記差込穴の周縁部分における、その差込穴が形成されている他方の前記フラップの基端部側に、その差込穴に嵌り込む、その差込穴と同一形状の舌片を連設するようにしてもよく、これらの包装箱についても、請求項１に係る発明の包装箱と同様の作用効果を得ることができる。
【００１３】
また、請求項４に係る発明の包装箱のように、請求項１または請求項２に係る発明の包装箱において、前記差込穴の周縁部分における、その差込穴が形成されている他方の前記フラップの先端部側に、その差込穴に嵌り込む、その差込穴と同一形状の舌片を連設したものにあっては、他方のフラップに切目を入れるだけでよく、差込穴を完全に打ち抜く場合のように、切除部分を回収して廃棄する必要がないので、包装箱の製造上有利である。
【００１４】
【発明の実施の形態】
以下、実施の形態について図面を参照して説明する。図１に示す包装箱１は、図３に示すようなプラスチックシートによって形成されたブランクシート１０から組み立てられている。なお、ブランクシート１０を形成するためのプラスチックシートとしては、ポリエチレンテレフタレート等のポリエステルやポリプロピレン等からなる厚さ０．１〜０．８ｍｍ程度のものを使用することができる。
【００１５】
前記ブランクシート１０は、図３に示すように、後面板１１の一方の側端縁に折目線２３を介して側面板１２が連設されており、側面板１２の他方の側端縁には、折目線２４、２５、２６を介して側面板１２、前面板１３及び接着代１４が順次連設されている。
【００１６】
前記側面板１２、１２の上端縁及び下端縁には、折目線２７、２７及び折目線２８、２８を介して内フラップ１５、１５及び内フラップ１６、１６がそれぞれ連設されており、後面板１１の上端縁には、折目線２９を介して蓋フラップ１７が連設されている。なお、蓋フラップ１７の先端縁には折目線３０を介して差込片１７ａが連設されている。
【００１７】
また、後面板１１の下端縁及び前面板１３の下端縁には、折目線３１、３２を介して底フラップ１８、１９がそれぞれ連設されており、一方の底フラップ１８の先端縁には差込片２０が連設されていると共に、他方の底フラップ１９には、差込片２０が差し込まれる略長方形状の差込穴２１が形成されている。
【００１８】
前記差込片２０は、底フラップ１８の先端縁に連設される、前記差込穴２１の幅（底フラップ１９の幅方向の長さ）よりも僅かに小さい幅を有する基端部２０ａと、この基端部２０ａの両側縁から外側にそれぞれ張り出す、前記差込穴２１の奥行（底フラップ１９の張出方向の長さ）よりも僅かに小さい幅を有する差込部２０ｂとから構成されており、底フラップ１８の先端縁と差込部２０ｂとの間には、数ミリ程度の隙間が形成されている。
【００１９】
前記差込穴２１は、底フラップ１９の基端部側の端縁部分における中央部が、底フラップ１９の先端側に僅かに張り出した張出部２１ａを有しており、底フラップ１９の先端部側の端縁部分には、差込穴２１に嵌り込む、差込穴２１と同一形状の舌片２２が連設されている。換言すれば、差込穴２１は完全に開口されておらず、切目によって形成された舌片２２を起こすことによって、開口されるようになっている。
【００２０】
以上のように構成されたブランクシート１０から、包装箱１を組み立てるには、折目線２３、２４、２５、２６で側面板１２、１２、前面板１３及び接着代１４を順次折り曲げて、接着代１４を一方の側面板１２の内面に接着すると、図２に示すように、角筒状の胴部Ｂが形成される。
【００２１】
続いて、内フラップ１６、１６を折目線２８、２８で内側に折り畳んだ状態で、底フラップ１９を折目線３２で内側に折り畳んだ後、底フラップ１８を折目線３１で内側に折り畳んで差込片２０、即ち、差込部２０ｂを底フラップ１９の差込穴２１に差し込むと、折り畳まれた底フラップ１８、１９が相互に連結され、胴部Ｂの下端開口部が閉塞された状態に保持される。
【００２２】
以上のようにして胴部Ｂの下端開口部が閉塞された包装箱１は、図４及び図５に示すように、差込穴２１に差し込まれた差込片２０における基端部２０ａの先端縁が、差込穴２１の張出部２１ａの外側に位置しているので、差込片２０が差込穴２１の内側に完全に入り込むことがなく、差込片２０における基端部２０ａの先端縁に指先を引っかけて、差込部２１ｂを差込穴２１から簡単に引き出すことができる。従って、差込片が差込穴の内側に完全に入り込んでしまう従来の包装箱に比べて、底フラップ１８、１９を開いて胴部Ｂを扁平状に潰す作業を容易に行うことができる。
【００２３】
また、この包装箱１では、差込穴２１を完全に開口することなく、差込穴２１の周縁部分に舌片２２を連設する構成を採用しているので、ブランクシート１０の製造段階では、底フラップ１９に切目を形成するだけでよく、差込穴２１を完全に開口する場合のように、差込穴を形成するために切除した切除部分を回収して廃棄する必要がなくなるという利点もある。
【００２４】
なお、上述した実施形態では、差込穴２１における底フラップ１９の基端部側の端縁部分を内側に緩やかに膨らませることによって張出部２１ａを形成しているが、張出部２１ａの形状は、これに限定されるものではなく、例えば、図６（ａ）、（ｂ）に示すように、差込穴２１における底フラップ１９の基端部側の端縁を部分的に内側に突出させたような張出部２１ｂにすることも可能である。
【００２５】
また、上述した実施形態では、差込穴２１の周縁に形成された張出部２１ａ、２１ｂによって差込片２０の基端部２０ａの先端縁を支持することで、差込片２０が差込穴２１の内側に完全に入り込まないようにしているが、これに限定されるものではなく、例えば、図７（ａ）、（ｂ）に示すように、差込片２０の基端部２０ａにおける先端縁を外側に張り出させることで、逆に、差込片２０側に張出部２０ｃを形成し、この張出部２０ｃを差込穴２１の周縁部分で支持することによって、差込片２０が差込穴２１の内側に完全に入り込まないようにすることも可能である。
【００２６】
また、上述した実施形態では、舌片２２を差込穴２１における底フラップ１９の先端部側の端縁に連設する構成を採用しているが、これに限定されるものではなく、例えば、図８（ａ）、（ｂ）に示すように、差込穴２１における底フラップ１９の基端部側の端縁に舌片２２を連設する構成を採用することも可能である。この場合は、差し込まれた差込片２０における基端部２０ａの先端縁側で、差込穴２１の周縁部分と舌片２２とが繋がっているので、特に、差込穴２１の周縁部分や差込片２０に張出部を形成しなくても、差込片２０の差込穴２１への入り込みを防止することができる。
【００２７】
また、上述した実施形態では、差込穴２１の周縁部分に舌片２２を連設する構成を採用しているが、これに限定されるものではなく、図４、図６及び図７に示すような差込穴２１の形態の場合は、舌片２２を省略することも可能である。特に、舌片２２を省略すると、差込穴２１に差し込まれた差込片２０が下方側に突出しにくくなるので、包装箱１における底面の平面性が向上するという利点がある。
【００２８】
また、上述した各実施形態では、胴部Ｂの下端開口部を閉塞する底フラップ１８、１９の連結構造について説明したが、これに限定されるものではなく、フラップを折り畳むことによって開口部を閉塞する種々の場合に採用することができることはいうまでもない。
【図面の簡単な説明】
【図１】この発明にかかる包装箱の一実施形態を示す斜視図である。
【図２】同上の包装箱の組立工程を示す斜視図である。
【図３】同上の包装箱を形成するのに使用されるブランクシートを示す平面図である。
【図４】同上の包装箱を示す底面図である。
【図５】同上の包装箱における差込片を差込穴から引き出す方法を示す断面図である。
【図６】（ａ）は差込穴の変形例を示す図、（ｂ）は同上の差込穴に差込片を差し込んだ状態を示す図である。
【図７】（ａ）は差込穴及び差込片の変形例を示す図、（ｂ）は同上の差込穴に同上の差込片を差し込んだ状態を示す図である。
【図８】（ａ）は差込穴及び差込片の他の変形例を示す図、（ｂ）は同上の差込穴に同上の差込片を差し込んだ状態を示す図である。
【図９】従来の包装箱を示す斜視図である。
【図１０】同上の包装箱における底フラップを開いた状態を示す斜視図である。
【図１１】同上の包装箱を示す底面図である。
【図１２】同上の包装箱の問題点を説明するための説明図である。
【符号の説明】
１  包装箱
１０  ブランクシート
１１  後面板
１２  側面板
１３  前面板
１４  接着代
１５、１６  内フラップ
１７  蓋フラップ
１８、１９  底フラップ
２０  差込片
２０ａ  基端部
２０ｂ  差込部
２０ｃ  張出部
２１  差込穴
２１ａ、２１ｂ  張出部
２２  舌片
Ｂ  胴部
【図１】
0004766504.tif 000002
【図２】
0004766504.tif 000003
【図３】
0004766504.tif 000004
【図４】
0004766504.tif 000005
【図５】
0004766504.tif 000006
【図６】
0004766504.tif 000007
【図７】
0004766504.tif 000008
【図８】
0004766504.tif 000009
【図９】
0004766504.tif 000010
【図１０】
0004766504.tif 000011
【図１１】
0004766504.tif 000012
【図１２】
0004766504.tif 000013